(57)【要約】　　　（修正有）【課題】視野ずれを確実に防止することができる安価で簡易小型な放射温度計を提供する。【解決手段】放射温度計のハウジング２の表面に、該ハウジング２の前端に設けられた入射窓３から入射した熱放射エネルギーの強度を検出する赤外線センサのセンシング視野角を仮想表示するマーカー９が形成されている。【選択図】　図１
0003097158.tif 000002
【実用新案登録請求の範囲】
【請求項１】
被測定物から放出される熱放射エネルギーの強度を赤外線センサで検出して被測定物の表面温度を測定する放射温度計において、前端に熱放射エネルギーの入射窓が設けられたハウジングの表面に、その入射窓から入射した熱放射エネルギーの強度を検出する赤外線センサのセンシング視野角を仮想表示するマーカーが形成されていることを特徴とする放射温度計。
【請求項２】
前記マーカーが、前記ハウジングの地色と異なる色彩を呈する印刷インク又は接着シールによって形成されている請求項１記載の放射温度計。
【請求項３】
前記マーカーが、前記ハウジングの表面に設けた凸部又は凹部によって形成されている請求項１記載の放射温度計。
【考案の詳細な説明】
【０００１】
【考案の属する技術分野】
本考案は、被測定物から放出される熱放射エネルギーの強度を赤外線センサで検出して被測定物の表面温度を測定する放射温度計に関する。
【０００２】
【従来の技術】
放射温度計は、ハウジングの前端に、熱放射エネルギーの入射窓が設けられ、ハウジングの内部に、入射窓から入射した熱放射エネルギーを効率良く集光するレンズや凹面鏡、絞り、光フィルター等の光学系と、該光学系で集光された熱放射エネルギーをその強度に応じた電気信号に変換するサーモパイル等の赤外線センサと、該赤外線センサから出力される電気信号に基づいて温度を算定し、その算定温度を液晶パネルで成る温度表示部に表示させる電気系等が設けられたものが一般的である。
【０００３】そして、放射温度計を使用する際は、これを片手で持って、ハウジングの前端に設けられた入射窓を被測定物の測定ポイントに向けた状態とし、その状態でハウジングに設けられた測定キーあるいはハウジングと一体成形したグリップに取り付けられた測定用トリガースイッチ等を指先で押すようになっているが、測定距離が離れていると、入射窓を被測定物の測定ポイントに向けたつもりでも、実際には入射窓が測定ポイントに指向しておらず、その測定ポイントが赤外線センサのセンシング視野角から外れるいわゆる視野ずれを生じて正確な温度を測定することができないおそれがある。
【０００４】このおそれを解消するために、被測定物にレーザ光による標的マークを付けて、入射窓を被測定物の測定ポイントに正確に指向させることにより、その測定ポイントが赤外線センサのセンシング視野角から外れることを防止するレーザ・マーカー装置を備えた放射温度計もある。
【０００５】
【考案が解決しようとする課題】
しかしながら、レーザ・マーカー装置は非常に高価なものであるから、これを備えた放射温度計は、その製品価格が著しく高いものとなっていた。また、レーザ・マーカー装置を装備した放射温度計は、大型化するので携帯にも不便であった。
【０００６】そこで本考案は、高価なレーザ・マーカー装置を装備しなくとも、入射窓を被測定物の測定ポイントに指向させて、その測定ポイントが赤外線センサのセンシング視野角から外れることを確実に防止できる安価で簡易小型な放射温度計を提供することを技術的課題としている。
【０００７】
【課題を解決するための手段】
上記課題を解決するために、本考案は、被測定物から放出される熱放射エネルギーの強度を赤外線センサで検出して被測定物の表面温度を測定する放射温度計において、前端に熱放射エネルギーの入射窓が設けられたハウジングの表面に、その入射窓から入射した熱放射エネルギーの強度を検出する赤外線センサのセンシング視野角を仮想表示するマーカーが形成されていることを特徴とする。
【０００８】本考案の放射温度計は、ハウジングの表面に形成されたマーカーを照準として、ハウジングの前端に設けられた入射窓を被測定物の方向に向けると共に、被測定物の測定ポイントをマーカー越しに見て、その測定ポイントがマーカーによって仮想表示される赤外線センサのセンシング視野角の角度範囲内に入るように向きを調整すれば、被測定物の測定ポイントから放出される熱放射エネルギーが入射窓に入射されることとなり、その熱放射エネルギーの強度を赤外線センサで確実に検出することができるので、レーザ・マーカー装置を装備していなくても、温度の測定精度が非常に良い。
【０００９】
【考案の実施の形態】
以下、本考案の実施形態を図面によって具体的に説明する。
図１は本考案に係る放射温度計の一例を示す斜視図、図２はその放射温度計の作用を示す図、図３は本考案に係る放射温度計の他の例を示す斜視図である。
【００１０】図１の放射温度計１は、扁平な角箱形のプラスチックケースで成るハウジング２の前端に、熱放射エネルギーの入射窓３が設けられ、そのハウジング２の表面に、液晶パネルで成る温度表示部４と、測定キー６や電源キー７等を有する操作パネル５が設けられると共に、入射窓３から入射した熱放射エネルギーの強度を検出する赤外線センサ８のセンシング視野角θ（図２参照）を仮想表示するマーカー９が形成されている。なお、マーカー９は、ハウジング２を成形する際にその表面に設けられたセンシング視野角θの角度範囲を表わす逆台形の凸部によって形成されている。
【００１１】また、図示は省略するが、ハウジング２内には、入射窓３から入射した熱放射エネルギーを集光する集光器等の光学系と、集光器で集光された熱放射エネルギーをその強度に応じた電気信号に変換する赤外線センサ８と、該赤外線センサ８から出力される電気信号に基づいて温度を算定し、その算定温度を温度表示部４に表示させる電気系等が設けられている。
【００１２】しかして、放射温度計１を使用する際は、これを片手で持って、ハウジング２の表面に形成されたマーカー９を照準として、ハウジング２の前端に設けられた入射窓３を被測定物１１の方向に向けると共に、被測定物１１の測定ポイントＰをマーカー９越しに見て、その測定ポイントＰをマーカー９によって仮想表示される赤外線センサ８のセンシング視野角θの範囲内に入れるようにする。
【００１３】これにより、放射温度計１の入射窓３が被測定物１１の測定ポイントＰに指向せられて、その測定ポイントＰが赤外線センサ８のセンシング視野角θの角度範囲内に捕捉された状態となる。
【００１４】この状態で、ハウジング２の表面に設けられた測定キー６を指先で押せば、被測定物１１の測定ポイントＰから放出される熱放射エネルギーが入射窓３に入射されてそのエネルギー強度を赤外線センサ８によって確実に検出することができるので、測定精度が著しく向上する。
【００１５】次に、図３の放射温度計２１は、コンピュータ・マウスに似た形状のプラスチックケースで成るハウジング２２の前端に、熱放射エネルギーの入射窓２３が設けられ、そのハウジング２２の表面に、液晶パネルで成る温度表示部２４と、測定キー２６が設けられると共に、入射窓２３から入射した熱放射エネルギーの強度を検出する赤外線センサのセンシング視野角を仮想表示するマーカー２９が形成されている。
【００１６】マーカー２９は、ハウジング２２の地色と異なる色彩を呈する印刷インク又は接着シールによって、赤外線センサ８のセンシング視野角θの角度線（図２の破線参照）を表すＶ字形の線図もしくは逆三角形の線図に形成されたものである。
【００１７】しかして、放射温度計２１は、ハウジング２２の前端に設けられた入射窓２３を被測定物の方向に向けると共に、被測定物の測定ポイントをハウジング２２の表面に形成されたマーカー２９越しに見て、その測定ポイントをマーカー２９が表すＶ字形もしくは逆三角形の角度範囲内に入れるようにすれば、入射窓２３が被測定物の測定ポイントに指向せられると同時に、その測定ポイントが赤外線センサのセンシング視野角の範囲内に捕捉された状態となるので、この状態で、ハウジング２２の表面に設けられた測定キー２６を指先で押せば、被測定物の測定ポイントから放出される熱放射エネルギーが入射窓２３に入射されてそのエネルギー強度を赤外線センサで確実に検出することができる。
【００１８】なお、ハウジングの表面に形成するマーカーは、上記の如く印刷インク又は接着シールによって形成されたものや、ハウジングの表面に凸部を設けて形成されたものに限らず、例えばハウジングの表面に赤外線センサのセンシング視野角の角度線を表す溝などの凹部を設けて形成されるものであってもよく、また、形状も、逆台形や、Ｖ字形、逆三角形に限らず、逆ハの字形等であってもよく、要するに赤外線センサのセンシング視野角を仮想表示するものであればよい。
【００１９】
【考案の効果】
本考案によれば、高価なレーザ・マーカー装置を装備しない安価で簡易小型な放射温度計であっても、ハウジングの前端に設けられた入射窓を被測定物の測定ポイントに正確に指向させて、その測定ポイントから放出される熱放射エネルギーの強度を赤外線センサで確実に検出することができるので、温度の測定精度が非常に良いという大変優れた効果がある。
【図面の簡単な説明】
【図１】本考案に係る放射温度計の一例を示す斜視図
【図２】本考案に係る放射温度計の作用を示す図
【図３】本考案に係る放射温度計の他の例を示す斜視図
【符号の説明】
１………………放射温度計
２………………ハウジング
３………………入射窓
４………………温度表示部
６………………測定キー
８………………赤外線センサ
θ………………赤外線センサのセンシング視野角
９………………マーカー
１１………………被測定物
Ｐ………………被測定物の測定ポイント
２１………………放射温度計
２２………………ハウジング
２３………………入射窓
２４………………温度表示部
２６………………測定キー
２９………………マーカー
【図１】
0003097158.tif 000003
【図２】
0003097158.tif 000004
【図３】
0003097158.tif 000005